(57)【要約】【課題】測光部からの不要な測光信号の読み出しにかかる処理時間や処理負荷を低減すること。【解決手段】測光装置は、被写体光を撮像素子１７に導く第１の状態と、被写体光をファインダ部に導く第２の状態とを切り替える光学部材５が第２の状態に切り替えている場合に、被写体光を蓄積型の光電変換素子を用いて測光する測光部１３と、測光部１３から測光信号を読み出す読出部と、測光部１３による測光を中断する場合に、中断の状況に応じて、読出部による測光部１３からの測光信号の読み出しを許可するか禁止するかを切り替える制御部と、を備える。【選択図】図１
2013041039.tif 000002
【特許請求の範囲】
【請求項１】
被写体光を撮像素子に導く第１の状態と、前記被写体光をファインダ部に導く第２の状態とを切り替える光学部材が前記第２の状態に切り替えている場合に、前記被写体光を蓄積型の光電変換素子を用いて測光する測光部と、
前記測光部から測光信号を読み出す読出部と、
前記測光部による測光を中断する場合に、前記中断の状況に応じて、前記読出部による前記測光部からの測光信号の読み出しを許可するか禁止するかを切り替える制御部と、
を備えることを特徴とする測光装置。
【請求項２】
請求項１に記載の測光装置において、
前記光学部材は、連写撮影において、各コマの撮影時に前記第１の状態となり、各コマの撮影終了後から次のコマの撮影開始までの間前記第２の状態となり、
前記測光部は、前記光学部材が前記第２の状態である場合に前記被写体光の測光を繰り返し、前記光学部材が前記第１の状態に切替えられる場合に測光を中断し、
前記制御部は、各コマの撮影終了後から次のコマの撮影開始までの間における前記測光部による１回目の測光を中断する場合には、前記測光信号の読み出しを許可し、各コマの撮影終了後から次のコマの撮影開始までの間における前記測光部による２回目以降の測光を中断する場合には、前記測光信号の読み出しを禁止することを特徴とする測光装置。
【請求項３】
請求項１または２に記載の測光装置において、
前記制御部は、前記光学部材を前記第１の状態に切り替えるレリーズシーケンス動作の開始に応じて前記測光部による測光を中断する場合に、前記測光信号の読み出しを禁止することを特徴とする測光装置。
【請求項４】
請求項１〜３のいずれか一項に記載の測光装置において、
前記制御部は、調光動作の開始に応じて前記測光部による測光を中断する場合に、前記測光信号の読み出しを禁止することを特徴とする測光装置。
【請求項５】
請求項１〜４のいずれか一項に記載の測光装置において、
前記制御部は、前記測光部における測光中断時までの測光時間が予定測光時間に対して所定の割合以上であった場合には、前記測光信号の読み出しを許可し、前記測光部における測光中断時までの測光時間が予定測光時間に対して所定の割合未満であった場合には、前記測光信号の読み出しを禁止することを特徴とする測光装置。
【請求項６】
請求項１〜５のいずれか一項に記載の測光装置を備えることを特徴とするカメラ。
【発明の詳細な説明】
【技術分野】
【０００１】
本発明は、測光装置およびカメラに関する。
【背景技術】
【０００２】
光学ファインダへ導かれた光を、ファインダ光軸から外れた位置に配した測光センサで測光する一眼レフ電子カメラが知られている（特許文献１参照）。この電子カメラでは、ミラーアップすると測光センサに光が導かれなくなるため、測光を中断する。
【先行技術文献】
【特許文献】
【０００３】
【特許文献１】特開２００７−２７９４２５号公報
【発明の概要】
【発明が解決しようとする課題】
【０００４】
従来技術では、測光センサによる測光を中断する場合にも測光センサから測光信号を読み出しており、該読み出しにかかる処理時間や処理負荷が問題であった。
【課題を解決するための手段】
【０００５】
本発明による測光装置は、被写体光を撮像素子に導く第１の状態と、被写体光をファインダ部に導く第２の状態とを切り替える光学部材が第２の状態に切り替えている場合に、被写体光を蓄積型の光電変換素子を用いて測光する測光部と、測光部から測光信号を読み出す読出部と、測光部による測光を中断する場合に、中断の状況に応じて、読出部による測光部からの測光信号の読み出しを許可するか禁止するかを切り替える制御部と、を備えることを特徴とする。
【発明の効果】
【０００６】
本発明によれば、測光部からの不要な測光信号の読み出しにかかる処理時間や処理負荷を低減できる。
【図面の簡単な説明】
【０００７】
【図１】本発明の一実施の形態による測光装置を搭載した一眼レフ電子カメラの構成を説明する図である。
【図２】図１の電子カメラの要部構成を説明するブロック図である。
【図３】（ａ）は読み出し無しモードを説明する図であり、（ｂ）は読み出し有りモードを説明する図である。
【図４】第１の実施の形態においてレリーズシーケンス動作の開始に応じて測光を中断する場合を説明する図である。
【図５】第１の実施の形態において連写撮影に応じて測光を中断する場合を説明する図である。
【図６】第１の実施の形態においてＴＴＬ調光を伴うレリーズシーケンス動作の開始に応じて測光を中断する場合を説明する図である。
【図７】第２の実施の形態における読み出しモードの切替え制御を説明する図である。
【発明を実施するための形態】
【０００８】
（第１の実施の形態）
図面を参照して、本発明による第１の実施の形態について説明する。図１は、本発明の第１の実施の形態による測光装置を搭載した一眼レフ電子カメラの構成を説明する図である。図１において、カメラ本体４に対して着脱可能な交換レンズ１が装着されている。
【０００９】
被写体からの光は、撮像レンズ２および絞り３を介してカメラ本体４へ入射される。カメラ本体４に入射した被写体光は、シャッタレリーズ前は図１に例示したミラーダウン状態にある一部半透過のクイックリターンミラー（以下メインミラーと呼ぶ）５で上方のファインダ部へ向けて折り曲げられ、ファインダスクリーン６へ向けて進行する。また、メインミラー５を透過した一部の被写体光は、サブミラー１４によって下方へ折り曲げられ、焦点検出センサ１５へ導かれる。
【００１０】
ファインダスクリーン６へ入射された被写体光束は、撮像レンズ２によって拡散面６ａに結像する。ファインダスクリーン６で拡散された光束はさらに、ファインダ光学系の光軸２２に沿ってペンタプリズム８へ入射される。ペンタプリズム８は、拡散された被写体光を接眼レンズ９へ導く。撮影者は、接眼部１０から接眼レンズ９を通してファインダによる被写体像を観察する。
【００１１】
また、ファインダスクリーン６で拡散された光束の一部は、ファインダ光学系の光軸２２から傾いた測光光学系光軸２３の方向へ進み、三角プリズム１１の反射面１１ａで上方へ折り曲げられる。この光束は測光レンズ１２を介して測光センサ１３の受光面に再結像する。
【００１２】
シャッタレリーズ後は、メインミラー５が上方へ回動し、全ての被写体光は開駆動されるメカニカルシャッター１６を介して撮像素子１７へ導かれ、その撮像面上に被写体像を結像する。このとき、撮像レンズ２を通過した光束の接眼レンズ９および測光センサ１３までの光路は遮断される。撮像素子１７は、撮像面上に結像されている被写体像を撮像し、被写体像の明るさに応じた光電変換信号を出力する。撮像が終了するとメカニカルシャッター１６が閉駆動され、メインミラー５がミラーダウン状態へ戻る。
【００１３】
上述した電子カメラにおいて、測光センサ１３は、画素に対応する複数の光電変換素子を備えたＣＭＯＳイメージセンサなどによって構成される。光電変換素子は、光の強さに応じた信号電荷を蓄積する。
【００１４】
図２は、電子カメラの要部構成を説明するブロック図である。測光センサ１３は、制御部３１の指示に応じて、光の強さに応じた信号電荷を蓄積する蓄積動作を行う。測光センサ１３は、蓄積動作により得られた測光信号を制御部３１へ出力する。制御部３１は、測光センサ１３から読み出した測光信号に基づいて、測光演算の他、ＴＴＬ(through the lens)調光演算、顔検出処理、および被写体追尾処理などを行う。
【００１５】
また制御部３１は、測光センサ１３から読み出した測光信号に基づいて、次回測光時における予定蓄積時間を算出する。制御部３１は、算出した予定蓄積時間の蓄積動作が行われるように測光センサ１３を制御する。一般に、予定蓄積時間は、被写界が明るいほど短くなる。
【００１６】
露出制御部３２は、制御部３１による測光演算結果に基づいて撮像時に絞り３およびメカニカルシャッター１６を制御する。照明装置３３は、被写体に撮影補助光を照射するための照明である。照明制御部３４は、制御部３１によるＴＴＬ調光演算結果に基づいて照明装置３３の発光量を制御する。
【００１７】
ＬＥＤ３５は、選択されたフォーカスエリアを点灯表示するためのスーパーインポーズ用ＬＥＤである。ＬＥＤ３５から出力された光は、フォーカスエリアを示す表示としてファインダスクリーン６（図１）上で被写体像に重畳されて観察される。制御部３１は、たとえばフォーカスエリアが切り替わる際などに、フォーカスエリアに合わせてＬＥＤ３５の点灯制御を行う。シャッタレリーズ時には、点灯されたフォーカスエリアにおける焦点検出結果に基づいて撮像レンズ２のフォーカスレンズが駆動され、合焦動作が行われる。
【００１８】
制御部３１には、レリーズボタン３６が半押し操作または全押し操作されたことを示すレリーズ操作信号などが入力される。レリーズボタン３６が半押し操作されると、測光センサ１３の蓄積動作と、測光信号に基づく測光演算とを繰り返し行う。
【００１９】
レリーズボタン３６が全押し操作されると、メインミラー５がアップされて光路から退避するため、測光センサ１３に光が導かれなくなり、測光不能となる。また、ＴＴＬ調光時には、照明装置３３から公知の予備発光を行って、測光センサ１３で被写体からの反射光を測光しなければならないため、早急に測光センサ１３をリセットする必要がある。さらに、ＬＥＤ３５の点灯が行われる場合には、ＬＥＤ３５からの光束の一部が測光センサ１３に到達するため、測光演算用の測光が正確に行えなくなる。
【００２０】
このように測光演算用の測光が不能または不適となる場合には、制御部３１は、測光センサ１３の蓄積動作を中断させる。この場合の測光センサ１３は、予定蓄積時間よりも短い蓄積となる。このとき、本実施形態の制御部３１は、測光センサ１３から測光信号を読み出さない（すなわち読み出しを禁止する）モード（読み出し無しモード）と、測光センサ１３から測光信号を読み出す（すなわち読み出しを許可する）モード（読み出し有りモード）のうちいずれかのモードで動作する。
【００２１】
図３（ａ）は、読み出し無しモードを説明する図である。制御部３１は、たとえば測光センサ１３に出力する測光制御信号をＬｏｗ（Ｌ）レベルにすることにより、測光センサ１３に蓄積動作を行わせる。時刻（Ｔ）において測光中断要因（たとえばレリーズボタン３６の全押し操作など）が発生すると、読み出し無しモードの場合の制御部３１は、測光センサ１３に出力するリセット信号をＬレベルにすることにより、測光センサ１３に蓄積電荷を排出するリセット動作を行わせる。その後、制御部３１は、測光センサ１３に出力する測光制御信号をＨｉｇｈ（Ｈ）レベルにすることにより、測光センサ１３の蓄積動作を終了させる。このとき、測光センサ１３から蓄積電荷が既に排出されているため、制御部３１は測光信号の読み出しを行わない。この場合の制御部３１は、測光センサ１３の蓄積動作を終了させるとすぐに、その後の処理（たとえばレリーズシーケンス動作など）を開始する。
【００２２】
図３（ｂ）は、読み出し有りモードを説明する図である。時刻（Ｔ）において測光中断要因（たとえばレリーズボタン３６の全押し操作など）が発生すると、制御部３１は、測光センサ１３に出力する測光制御信号をＨレベルにすることにより、測光センサ１３の蓄積動作を終了させる。読み出し有りモードの場合の制御部３１は、測光センサ１３に出力するリセット信号をＨレベルのままとし、蓄積電荷を排出するリセット動作を測光センサ１３に行わせない。この場合の制御部３１は、測光センサ１３の蓄積動作を終了させると、測光センサ１３から測光信号を読み出す。制御部３１は、測光センサ１３からの測光信号の読み出しが終了すると、その後の処理（たとえばレリーズシーケンス動作など）を開始する。
【００２３】
このように、読み出し無しモードは、読み出し有りモードと比較して、測光センサ１３からの測光信号の読み出しを省略する分、蓄積中断後の処理（たとえばレリーズシーケンス動作など）を早く開始することができ、処理時間や処理負荷の低減を行うことができるように構成されている。
【００２４】
制御部３１は、測光センサ１３の蓄積中断時、該中断の状況に応じて、上記読み出し無しモードまたは読み出し有りモードを切り替える。以下、この切替え制御について詳しく説明する。
【００２５】
図４は、レリーズシーケンス動作の開始に応じて測光センサ１３の蓄積動作を中断させる場合の処理を説明するタイムチャートである。時刻（ｔ１）においてレリーズボタン３６が半押し操作されると、制御部３１は、測光センサ１３の蓄積動作と、測光信号の読み出しおよび測光信号に基づく測光演算と、次回の予定蓄積時間の算出とを繰り返し行う。
【００２６】
その後、時刻（ｔ２）においてレリーズボタン３６が全押し操作されると、制御部３１は、測光センサ１３の蓄積動作を中断させる。このとき制御部３１は、読み出し無しモードとなり、測光センサ１３からの測光信号の読み出しを行わずにレリーズシーケンス動作を開始する。レリーズシーケンス動作では、メインミラー５のアップ動作、メカニカルシャッター１６の開閉駆動などを行い、撮像素子１７に被写体像を撮像させる。露出制御部３２は、時刻（ｔ２）前の測光演算結果に基づいて露出制御を行う。
【００２７】
このように制御部３１は、測光センサ１３からの測光信号の読み出しを省略することで、レリーズボタン３６の全押し操作からレリーズシーケンス動作開始までの時間を短縮でき、レリーズタイムラグを短縮することができる。
【００２８】
図５は、連写撮影に応じて測光センサ１３の蓄積動作を中断させる場合の処理を説明するタイムチャートである。本実施形態では、連写撮影中、メインミラー５のアップとダウンが繰り返され、メインミラー５のアップ中に撮影が行われ、メインミラー５のダウン中に測光センサ１３による測光が行われるよう構成されている。メインミラー５がダウンする時間、すなわち測光可能時間Ｘは、連写速度に応じて決定される。
【００２９】
連写撮影において、時刻（ｔ３）にレリーズボタン３６が半押し操作されると、制御部３１は、測光センサ１３の蓄積動作と、測光信号の読み出しおよび測光信号に基づく測光演算と、次回の予定蓄積時間の算出とを繰り返し行う。その後、時刻（ｔ４）においてレリーズボタン３６が全押し操作されると、制御部３１は、測光センサ１３の蓄積動作を中断させる。このとき制御部３１は、読み出し無しモードとなり、測光センサ１３からの測光信号を読み出さずに連写撮影制御を開始し、メインミラー５をアップして連写１コマ目の撮影を行う。なお、露出制御部３２は、時刻（ｔ４）前の測光演算結果に基づいて露出制御を行う。
【００３０】
制御部３１は、連写１コマ目の撮影が終了するとメインミラー５のダウン動作を開始させ、メインミラー５のダウンが完了した時刻（ｔ５）において測光センサ１３の蓄積動作を再開させる。制御部３１は、時刻（ｔ４）前に算出した蓄積時間を予定蓄積時間として、測光センサ１３の１回目の蓄積動作を行わせる。該蓄積動作が完了すると、制御部３１は、測光センサ１３から測光信号を読み出し、該測光信号に基づく測光演算、次回の予定蓄積時間の算出を行う。その後、制御部３１は、該予定蓄積時間を用いて測光センサ１３の２回目の蓄積動作を行わせる。制御部３１は、時刻（ｔ５）から測光可能時間Ｘが経過するまで、測光センサ１３の蓄積動作と、測光信号の読み出しおよび測光信号に基づく測光演算と、次回の予定蓄積時間の算出とを繰り返し行う。
【００３１】
制御部３１は、時刻（ｔ５）から測光可能時間Ｘが経過した時刻（ｔ６）において、測光センサ１３の蓄積動作を中断させる。図６は、時刻（ｔ６）において測光センサ１３の２回目の蓄積動作を中断させる場合を示す。この場合の制御部３１は、読み出し無しモードとなり、測光センサ１３から測光信号を読み出さずに、メインミラー５をアップさせ、連写２コマ目の撮影を開始する。なお、露出制御部３２は、１回目の蓄積結果に基づく測光演算結果に基づいて露出制御を行う。
【００３２】
制御部３１は、連写２コマ目の撮影が終了するとメインミラー５のダウン動作を開始させ、メインミラー５のダウンが完了した時刻（ｔ７）において測光センサ１３の蓄積動作を再開させる。制御部３１は、前回のメインミラー５のダウン時における１回目の蓄積結果に基づいて算出した蓄積時間を予定蓄積時間として測光センサ１３の蓄積動作を行わせる。
【００３３】
制御部３１は、時刻（ｔ７）から測光可能時間Ｘが経過した時刻（ｔ８）において、測光センサ１３の蓄積動作を中断させる。図６は、時刻（ｔ８）において測光センサ１３の１回目の蓄積動作を中断させる場合を示す。この場合の制御部３１は、読み出し有りモードとなり、測光センサ１３からの測光信号を読み出し、該測光信号に基づく測光演算、次回の予定蓄積時間の算出を行う。その後、制御部３１は、メインミラー５をアップさせ、連写３コマ目の撮像を開始する。なお、露出制御部３２は、該測光演算の結果に基づいて露出制御を行う。
【００３４】
このようにして制御部３１は、連写撮影中、各コマの撮影が終了するごとに測光センサ１３による測光を繰り返し行う。また制御部３１は、メインミラー５のダウン時、測光可能時間Ｘが経過するまで、測光センサ１３の蓄積動作と、測光信号の読み出しおよび測光信号に基づく測光演算と、次回の予定蓄積時間の算出とを繰り返し行う。
【００３５】
そして制御部３１は、メインミラー５のダウン中における１回目の測光センサ１３の蓄積動作を中断する場合は、読み出し有りモードとなり、測光センサ１３から測光信号を読み出して該測光信号に基づく測光演算および次回の予定蓄積時間の算出を行う。これにより、次のコマの撮影の際に、該測光演算結果に基づいて露出制御を行うことができる。
【００３６】
一方、制御部３１は、メインミラー５のダウン中における２回目以降の測光センサ１３の蓄積動作を中断する場合は読み出し無しモードとなり、測光センサ１３からの測光信号の読み出しを省略する。これにより、次のコマの撮影開始までの時間を短縮することができる。なお、次のコマの撮影時の露出制御は、１回目の蓄積結果に基づく測光演算結果に基づいて行う。
【００３７】
図６は、ＴＴＬ調光を伴うレリーズシーケンス動作の開始に応じて測光センサ１３の蓄積動作を中断させる場合の処理を説明するタイムチャートである。照明装置３３の発光を伴う撮像において、時刻（ｔ９）にレリーズボタン３６が半押し操作されると、制御部３１は、測光センサ１３の蓄積動作と、測光信号の読み出しおよび測光信号に基づく測光演算と、次回の予定蓄積時間の算出とを繰り返し行う。
【００３８】
その後、時刻（ｔ１０）においてレリーズボタン３６が全押し操作されると、制御部３１は、測光センサ１３の蓄積動作を中断させる。このとき制御部３１は、読み出し無しモードとなり、測光センサ１３からの測光信号の読み出しを行わずにＴＴＬ調光を伴うレリーズシーケンス動作を開始する。
【００３９】
ＴＴＬ調光を伴うレリーズシーケンス動作では、制御部３１は、照明装置３３からの予備発光に合わせて、該予備発光時の被写体からの反射光を測光するように測光センサ１３の蓄積動作を制御する。制御部３１は、測光センサ１３から読み出した測光信号に基づいて照明装置３３の本発光量を演算する。その後、制御部３１は、メインミラー５のアップ動作、メカニカルシャッター１６の開閉駆動、照明装置３３の本発光などを行い、撮像素子１７に被写体像を撮像させる。
【００４０】
このように制御部３１は、測光センサ１３からの測光信号の読み出しを省略することで、レリーズボタン３６の全押し操作から照明装置３３の予備発光および該予備発光時の測光センサ１３の蓄積動作開始までの時間を短縮でき、レリーズタイムラグを短縮することができる。
【００４１】
また、制御部３１は、スーパーインポーズ用のＬＥＤ３５の点灯が指示された場合、測光センサ１３の蓄積動作を中断させる。このとき制御部３１は、読み出し無しモードとなり、測光センサ１３からの測光信号の読み出しを行わず、フォーカスエリアがスーパーインポーズ表示されるようＬＥＤ３５を点灯制御する。
【００４２】
以上説明した第１の実施形態によれば、次の作用効果が得られる。
（１）電子カメラの測光装置は、被写体光を撮像素子１７に導く第１の状態（ミラーアップ状態）と、被写体光をファインダ部に導く第２の状態（ミラーダウン状態）とを切り替えるメインミラー５が第２の状態（ミラーダウン状態）に切り替えている場合に、被写体光を蓄積型の光電変換素子を用いて測光する測光センサ１３と、測光センサ１３から測光信号を読み出す制御部３１と、測光センサ１３による測光（蓄積）を中断する場合に、測光センサ１３からの測光信号の読み出しを許可するか禁止するかを切り替える制御部３１と、を備えるので、測光センサ１３からの不要な測光信号の読み出しにかかる処理時間や処理負荷を低減できる。
【００４３】
（２）上記（１）の測光装置において、メインミラー５は、連写撮影において、各コマの撮影時に第１の状態（ミラーアップ状態）となり、各コマの撮影終了後から次のコマの撮影開始までの間第２の状態（ミラーダウン状態）となり、測光センサ１３は、メインミラー５が第２の状態（ミラーダウン状態）である場合に被写体光の測光を繰り返し、メインミラー５が第１の状態（ミラーアップ状態）に切替えられる場合に測光を中断し、制御部３１は、各コマの撮影終了後から次のコマの撮影開始までの間における測光センサ１３による１回目の測光を中断する場合には、測光信号の読み出しを許可し、各コマの撮影終了後から次のコマの撮影開始までの間における測光センサ１３による２回目以降の測光を中断する場合には、測光信号の読み出しを禁止するように構成したので、測光信号に基づいて各コマの露出制御を行えると共に不要な測光信号の読み出しにかかる処理時間や処理負荷を低減できる。
【００４４】
（３）上記（１）の測光装置において、制御部３１は、メインミラー５を第１の状態（ミラーアップ状態）に切り替えるレリーズシーケンス動作の開始に応じて測光センサ１３による測光を中断する場合に、測光センサ１３からの測光信号の読み出しを禁止するように構成したので、レリーズボタン３６の全押し操作からレリーズシーケンス動作開始までの時間を短縮でき、レリーズタイムラグを短縮することができる。
【００４５】
（４）上記（１）の測光装置において、制御部３１は、調光動作（ＴＴＬ調光）の開始に応じて測光センサ１３による測光を中断する場合に、測光信号の読み出しを禁止するように構成したので、レリーズボタン３６の全押し操作から照明装置３３の予備発光および該予備発光時の測光センサ１３の蓄積動作開始までの時間を短縮でき、レリーズタイムラグを短縮することができる。
【００４６】
（第２の実施の形態）
図面を参照して、本発明による第２の実施の形態について説明する。第２の実施の形態では、第１の実施の形態と比較して、測光センサ１３の蓄積動作を中断する場合の上記読み出し無しモードおよび上記読み出し有りモードの切替え制御が異なっているため、相違点を中心に詳しく説明する。なお、該切替え制御以外については、第１の実施の形態と同様のため、説明を省略する。
【００４７】
図７は、上記切替え制御を説明するタイムチャートである。時刻（ｔ１１）においてレリーズボタン３６が半押し操作されると、制御部３１は、測光センサ１３の蓄積動作と、測光信号の読み出しおよび測光信号に基づく測光演算と、次回の予定蓄積時間の算出とを繰り返し行う。その後、制御部３１は、時刻（ｔ１２）において測光中断要因（メインミラー５のアップ動作、ＴＴＬ調光動作、またはスーパーインポーズ用のＬＥＤ３５の点灯などの開始指示）が発生すると、測光センサ１３の蓄積動作を中断させる。
【００４８】
このとき制御部３１は、該中断までの蓄積時間Ｙが予定蓄積時間Ｚに対して所定の割合（たとえば３割）以上か否かを判定する。該中断までの蓄積時間Ｙが予定蓄積時間Ｚに対して所定の割合未満であることは、測光センサ１３から出力される測光信号が測光演算に適さないレベルである可能性が高い。
【００４９】
そこで制御部３１は、該中断までの蓄積時間Ｙが予定蓄積時間Ｚに対して所定の割合未満であると判定すると読み出し無しモードとなり、図７（ａ）に示すように、測光センサ１３からの測光信号の読み出しを行わず、その後の処理（メインミラー５のアップ動作、ＴＴＬ調光動作、またはスーパーインポーズ用のＬＥＤ３５の点灯など）を開始する。
【００５０】
一方、制御部３１は、該中断までの蓄積時間Ｙが予定蓄積時間Ｚに対して所定の割合以上であると判定すると、読み出し有りモードとなり、図７（ｂ）に示すように、測光センサ１３から測光信号を読み出して該測光信号に基づく測光演算および次回の予定蓄積時間の算出を行う。そして制御部３１は、その後の処理（メインミラー５のアップ動作、ＴＴＬ調光動作、またはスーパーインポーズ用のＬＥＤ３５の点灯など）を開始する。
【００５１】
このように制御部３１は、蓄積時間Ｙが予定蓄積時間Ｚに対して所定の割合未満である場合には、測光センサ１３からの測光信号の読み出しを行わないようにすることで、測光演算に適さないレベルの測光信号の読み出しを省略できる分その後の処理を早く開始でき、処理時間や処理負荷を低減できる。
【００５２】
以上説明した第２の実施形態によれば、次の作用効果が得られる。
（１）電子カメラの測光装置は、被写体光を撮像素子１７に導く第１の状態（ミラーアップ状態）と、被写体光をファインダ部に導く第２の状態（ミラーダウン状態）とを切り替えるメインミラー５が第２の状態（ミラーダウン状態）に切り替えている場合に、被写体光を蓄積型の光電変換素子を用いて測光する測光センサ１３と、測光センサ１３から測光信号を読み出す制御部３１と、測光センサ１３による測光（蓄積）を中断する場合に、中断の状況に応じて、測光センサ１３からの測光信号の読み出しを許可するか禁止するかを切り替える制御部３１と、を備えるので、測光センサ１３からの不要な測光信号の読み出しにかかる処理時間や処理負荷を低減できる。
【００５３】
（２）上記（１）の測光装置において、制御部３１は、測光センサ１３における測光中断時までの測光時間が予定測光時間に対して所定の割合以上であった場合には、測光センサ１３からの測光信号の読み出しを許可し、測光センサ１３における測光中断時までの測光時間が予定測光時間に対して所定の割合未満であった場合には、測光センサ１３からの測光信号の読み出しを禁止するように構成したので、測光演算に適さないレベルの測光信号の読み出しを省略できる分その後の処理を早く開始でき、処理時間や処理負荷を低減できる。
【００５４】
（変形例１）
制御部３１は、たとえば、被写体が暗い場合に焦点検出を行うためのＡＦ補助光の発光に応じて測光センサ１３の蓄積動作を中断させる場合に、上記読み出し無しモードで動作するようにしてもよい。
【００５５】
（変形例２）
制御部３１は、たとえば、スーパーインポーズ用のＬＥＤ３５やＡＦ補助光の点灯に応じて測光センサ１３の蓄積動作を中断させる場合には、上記第２の実施の形態における読み出しモードの切替え制御を行うようにし、連写撮影時において測光センサ１３の蓄積動作を中断させる場合には、上記第１の実施の形態における読み出しモードの切替え制御を行うようにしてもよい。
【００５６】
（変形例３）
制御部３１は、連写撮影時のメインミラー５ダウン中における１回目の蓄積動作を中断させる場合には、中断までの蓄積時間によらず読み出し有りモードで動作し、連写撮影時のメインミラー５ダウン中における２回目以降の蓄積動作を中断させる場合には、中断までの蓄積時間が予定蓄積時間に対して所定の割合以上である際に読み出し有りモードで動作し、所定の割合未満である際に読み出し無しモードで動作するようにしてもよい。
【００５７】
以上の説明はあくまで一例であり、上記の実施形態の構成に何ら限定されるものではない。
【符号の説明】
【００５８】
２…撮像レンズ
３…絞り
５…メインミラー
６…ファインダスクリーン
８…ペンタプリズム
９…接眼レンズ
１３…測光センサ
１７…撮像素子
３１…制御部
【図１】
2013041039.tif 000003
【図２】
2013041039.tif 000004
【図３】
2013041039.tif 000005
【図４】
2013041039.tif 000006
【図５】
2013041039.tif 000007
【図６】
2013041039.tif 000008
【図７】
2013041039.tif 000009